(57)【要約】【課題】従来の利用者毎の入退室の情報を基に電気使用量を計算方法では、利用者の実際の電力利用量とは乖離があるという問題があった。【解決手段】本発明に係る資源管理システムは、利用者が所持する無線媒体が送信した利用者ＩＤを読取装置が受信したとき、設備制御手段はその読取装置に割り付けられた設備を稼働させるとともに、一定期間利用者ＩＤの受信が無い場合、その設備の稼働を停止する。一方、利用者ＩＤ毎に受信を開始した時刻と一定時間受信が無くなった受信終了時刻を記憶しておき、利用者ＩＤ毎の受信時間（受信開始時刻と受信終了時刻の差）の総和を利用者が所属するグループ毎に計算し、按分手段によってグループ毎の使用電力量の按分率を求める構成とした。【選択図】          図１
2017134654.tif 000002
【特許請求の範囲】
【請求項１】
それぞれの利用者が所持し、それぞれの利用者ＩＤが予め記憶されている無線媒体と、
前記無線媒体が送信した前記利用者ＩＤを受信する読取装置と、
前記読取装置が前記利用者ＩＤを受信した後、前記読取装置のいずれかの利用者ＩＤの一定時間以内の受信の有無によって、前記読取装置に割り付けられた設備を制御する設備制御手段と、
前記読取装置が前記利用者ＩＤを最初に受信した時刻を受信開始時刻と判断し、前記読取装置が前記利用者ＩＤを受信した後に前記利用者ＩＤの次の受信が一定時間以上無い場合、前記一定時間経過後の時刻を受信終了時刻と判断する受信時間計測手段と、
前記受信時間計測手段が判断した前記受信開始時刻及び前記受信終了時刻を前記利用者ＩＤと関連付けて記憶する受信時間記憶手段と、
前記利用者ＩＤと前記利用者が所属するグループのグループＩＤとを関連付けて記憶するグループ記憶手段と、
前記受信時間記憶手段に記憶されている各利用者ＩＤの前記受信開始時刻及び受信終了時刻の差で求められる受信時間に基づき、前記グループ記憶手段に記憶されている各グループＩＤの所定期間の資源使用量の按分を計算する按分手段と、
を備えた資源管理システム。
【請求項２】
前記グループ記憶手段は、前記各読取装置に割り付けられている読取装置ＩＤを利用者ＩＤに関連付けてさらに記憶し、
前記按分手段は、前記受信時間記憶手段に記憶されている前記各読取装置ＩＤに対する各利用者ＩＤの前記受信時間に基づき、前記グループ記憶手段に記憶されている各グループＩＤの所定期間の資源使用量の按分を計算することを特徴とする請求項１に記載の資源管理システム。
【請求項３】
前記読取装置は、それぞれを識別する読取装置ＩＤを予め記憶し、
前記受信時間計測手段は、前記読取装置ＩＤを前記利用者ＩＤと関連付けて前記受信時間記憶手段にさらに記憶させることを特徴とする請求項１又は請求項２に記載の資源管理システム。
【請求項４】
前記按分手段は、前記各グループＩＤに関連付けられている各利用者ＩＤの前記受信時間の総和の比率に基づき、各グループＩＤの所定期間の資源使用量の按分を決定することを特徴とする請求項１から請求項３のいずれか１項に記載の資源管理システム。
【請求項５】
前記按分手段は、前記受信時間記憶手段が記憶している各利用者ＩＤの受信時間に基づき、各利用者の所定期間の資源使用量の按分を決定することを特徴とする請求項１から請求項４のいずれか１項に記載の資源管理システム。
【請求項６】
前記按分手段は、前記受信時間記憶手段が記憶している各利用者ＩＤの受信時間の総和の比率に基づき、各利用者の所定期間の資源使用量の按分を決定することを特徴とする請求項５に記載の資源管理システム。
【請求項７】
それぞれの利用者ＩＤが予め記憶されている無線媒体が送信した前記利用者ＩＤを読取装置が受信した後、前記読取装置のいずれかの利用者ＩＤの一定時間以内の受信の有無によって、前記読取装置に割り付けられた設備を制御する設備制御手段と、
前記読取装置が前記利用者ＩＤを最初に受信した時刻を受信開始時刻と判断し、前記読取装置が前記利用者ＩＤを受信した後に前記利用者ＩＤの次の受信が一定時間以上無い場合、前記一定時間経過後の時刻を受信終了時刻と判断する受信時間計測手段と、
前記受信時間計測手段が判断した前記受信開始時刻及び前記受信終了時刻を前記利用者ＩＤと関連付けて記憶する受信時間記憶手段と、
前記利用者ＩＤと前記利用者が所属するグループのグループＩＤとを関連付けて記憶するグループ記憶手段と、
前記受信時間記憶手段に記憶されている各利用者ＩＤの前記受信開始時刻及び受信終了時刻の差で求められる受信時間に基づき、前記グループ記憶手段に記憶されている各グループＩＤの所定期間の資源使用量の按分を計算する按分手段と、
を備えた資源管理装置。
【請求項８】
前記グループ記憶手段は、前記各読取装置に割り付けられている読取装置ＩＤを利用者ＩＤに関連付けてさらに記憶し、
前記按分手段は、前記受信時間記憶手段に記憶されている前記各読取装置ＩＤに対する各利用者ＩＤの前記受信時間に基づき、前記グループ記憶手段に記憶されている各グループＩＤの所定期間の資源使用量の按分を計算することを特徴とする請求項７に記載の資源管理装置。
【請求項９】
前記読取装置は、それぞれを識別する読取装置ＩＤを予め記憶し、
前記受信時間計測手段は、前記読取装置ＩＤを前記利用者ＩＤと関連付けて前記受信時間記憶手段にさらに記憶させることを特徴とする請求項７又は請求項８に記載の資源管理装置。
【請求項１０】
前記按分手段は、前記各グループＩＤに関連付けられている各利用者ＩＤの前記受信時間の総和の比率に基づき、各グループＩＤの所定期間の資源使用量の按分を決定することを特徴とする請求項７から請求項９のいずれか１項に記載の資源管理装置。
【請求項１１】
前記按分手段は、前記受信時間記憶手段が記憶している各利用者ＩＤの受信時間に基づき、各利用者の所定期間の資源使用量の按分を決定することを特徴とする請求項７から請求項１０のいずれか１項に記載の資源管理装置。
【請求項１２】
前記按分手段は、前記受信時間記憶手段が記憶している各利用者ＩＤの受信時間の総和の比率に基づき、各利用者の所定期間の資源使用量の按分を決定することを特徴とする請求項１１に記載の資源管理装置。
【発明の詳細な説明】
【技術分野】
【０００１】
本発明は、利用者が所属するグループ毎の電力などの資源の使用量に基づく按分率を計算する資源管理システム及び資源管理装置に関する。
【背景技術】
【０００２】
利用者毎の電力使用量を計算する方法として、入退室管理装置によって得られる該当エリアへの利用者毎の入退室の情報を基に計算する方法が従来提案されている。例えば特許文献１においては、住宅や施設の共用区域に関して、利用者毎に電気料金を課金するために、利用者毎の供用区域への入室時間を基に利用者毎の電力使用量を計算する電気料金課金システム及び電力量管理装置が提案されている。また、特許文献２においては、利用者毎に消費電力を把握するために、区画毎に入退室を管理し、区画毎の電力使用量を単位時間毎に計測し、計測した区画毎の電力使用量を在室人数で割った値の総和を利用者毎に計算する電力管理システムおよび方法が提案されている。
【先行技術文献】
【特許文献】
【０００３】
【特許文献１】特開２００９−２５２１１１号公報
【特許文献２】特開２０１３−１８７９８８号公報
【発明の概要】
【発明が解決しようとする課題】
【０００４】
しかしながら、特許文献１における電気料金課金システム及び電力量管理装置、及び特許文献２における電力管理システムおよび方法のいずれにおいても、利用者毎の入退室の情報を基に電気使用量を計算するため、利用者の実際の電力使用量とは乖離があるという問題があった。
本発明の目的は、上記課題を解決するため、利用者毎あるいは利用者が所属するグループ毎の実際の電力等の資源使用量により近い按分率を計算する資源管理システム及び資源管理装置を提供することである。
【課題を解決するための手段】
【０００５】
本発明に係る資源管理システムは、それぞれの利用者が所持し、それぞれの利用者ＩＤが予め記憶されている無線媒体と、
前記無線媒体が送信した前記利用者ＩＤを受信する読取装置と、
前記読取装置が前記利用者ＩＤを受信した後、前記読取装置のいずれかの利用者ＩＤの一定時間以内の受信の有無によって、前記読取装置に割り付けられた設備を制御する設備制御手段と、
前記読取装置が前記利用者ＩＤを最初に受信した時刻を受信開始時刻と判断し、前記読取装置が前記利用者ＩＤを受信した後に前記利用者ＩＤの次の受信が一定時間以上無い場合、前記一定時間経過後の時刻を受信終了時刻と判断する受信時間計測手段と、
前記受信時間計測手段が判断した前記受信開始時刻及び前記受信終了時刻を前記利用者ＩＤと関連付けて記憶する受信時間記憶手段と、
前記利用者ＩＤと前記利用者が所属するグループのグループＩＤとを関連付けて記憶するグループ記憶手段と、
前記受信時間記憶手段に記憶されている各利用者ＩＤの前記受信開始時刻及び受信終了時刻の差で求められる受信時間に基づき、前記グループ記憶手段に記憶されている各グループＩＤの所定期間の資源使用量の按分を計算する按分手段と、
を備えたことを特徴とする。
【０００６】
また、本発明に係る資源管理装置は、それぞれの利用者ＩＤが予め記憶されている無線媒体が送信した前記利用者ＩＤを読取装置が受信した後、前記読取装置のいずれかの利用者ＩＤの一定時間以内の受信の有無によって、前記読取装置に割り付けられた設備を制御する設備制御手段と、
前記読取装置が前記利用者ＩＤを最初に受信した時刻を受信開始時刻と判断し、前記読取装置が前記利用者ＩＤを受信した後に前記利用者ＩＤの次の受信が一定時間以上無い場合、前記一定時間経過後の時刻を受信終了時刻と判断する受信時間計測手段と、
前記受信時間計測手段が判断した前記受信開始時刻及び前記受信終了時刻を前記利用者ＩＤと関連付けて記憶する受信時間記憶手段と、
前記利用者ＩＤと前記利用者が所属するグループのグループＩＤとを関連付けて記憶するグループ記憶手段と、
前記受信時間記憶手段に記憶されている各利用者ＩＤの前記受信開始時刻及び受信終了時刻の差で求められる受信時間に基づき、前記グループ記憶手段に記憶されている各グループＩＤの所定期間の資源使用量の按分を計算する按分手段と、
を備えたことを特徴とする。
【発明の効果】
【０００７】
本発明に係る資源管理システム及び資源管理装置は、上記の様に構成したので、利用者毎あるいは利用者が所属するグループ毎の実際の電力等の資源使用量により近い按分率が得られるという効果を奏する。
【図面の簡単な説明】
【０００８】
【図１】本発明の実施の形態１における資源管理システムの構成図である。
【図２】本発明の実施の形態１における資源管理システムの読取装置が受信した信号のタイミング図である。
【図３】本発明の実施の形態１における資源管理システムの受信時間記憶手段のデータ構成図である。
【図４】本発明の実施の形態１における資源管理システムのグループ記憶手段のデータ構成図である。
【図５】本発明の実施の形態１における資源管理システムの受信時間計測手段の動作を示すフローチャートである。
【図６】本発明の実施の形態１における資源管理システムの設備制御手段の動作を示すフローチャートである。
【図７】本発明の実施の形態１における資源管理システムの按分手段の動作を示すフローチャートである。
【図８】本発明の実施の形態１における資源管理システムの、按分対象時間Ｔ内の各グループの受信時間を示している例１である。
【図９】本発明の実施の形態１における資源管理システムの、按分対象時間Ｔ内の各グループの受信時間を示している例２である。
【図１０】本発明の実施の形態１における資源管理システムの、按分対象時間Ｔ内の各グループの受信時間を示している例３である。
【図１１】本発明の実施の形態２における資源管理システムのグループ記憶手段のデータ構成図である。
【発明を実施するための形態】
【０００９】
実施の形態１
以下、本実施の形態の構成及び動作を図１〜図１０を用いて説明する。
【００１０】
図１は、本実施の形態における資源管理システムの構成図である。資源管理システムは、無線媒体１、読取装置３、設備４、及び資源管理装置５から構成されている。
【００１１】
無線媒体１は例えばハンズフリータグである。無線媒体１は利用者６が携帯している。図１では１個の無線媒体１を図示しているが、各利用者が無線媒体１を携帯している。それぞれの無線媒体１は、それぞれの無線媒体１に予め記憶されている利用者ＩＤによって識別される。
【００１２】
読取装置３は例えばタグリーダである。読取装置３は部屋内に設置されている。無線媒体１と読取装置３はＲＦＩＤ（Ｒａｄｉｏ  Ｆｒｅｑｕｅｎｃｙ  Ｉｄｅｎｔｉｆｉｅｒ）方式で無線通信を行なう。
【００１３】
読取装置３は質問信号７を一定周期毎（例えば２５０ミリ秒）に送信する。無線媒体１が読取装置３の電波送信範囲内（例えば読取装置３の周囲約３ｍの球体内）に位置した場合、無線媒体１は質問信号７を受信し、利用者ＩＤを含む信号２を送信する。無線媒体１が信号２を送信したとき、無線媒体１が読取装置３の電波受信範囲（例えば読取装置３の周囲約３ｍの球体内）に位置した場合、読取装置３は信号２を受信する。
【００１４】
なお、読取装置３は質問信号７を送信せず、さらに無線媒体１が常に信号２を一定周期毎（例えば２５０ミリ秒）に信号２を送信し、読取装置３はその信号２を受信する通信方式でもよい。
【００１５】
読取装置３には読取装置ＩＤが予め記憶されており、読取装置ＩＤによって各読取装置３が識別される。読取装置３は受信した信号２に含まれている利用者ＩＤ、及びその読取装置３を識別する読取装置ＩＤを後述の受信時間計測手段５１及び設備制御手段５３に送信する。
【００１６】
設備４は、例えば照明機器、空調、ＯＡ機器等の一般的な設備のことであり、また利用者の存在を検知したときに水を出す蛇口等にも適用でき、特に設備の種類は問わない。例えば、設備４が照明であり、部屋内に設置されている読取装置３の近傍に設置されている読取装置３の受信電波圏内に無線媒体１を所持した利用者が居る場合、利用者近傍を照明で照らす。それぞれの設備４はそれぞれの読取装置３を識別する読取装置ＩＤに対応している。一つの読取装置ＩＤに対し、複数の設備４が関連付けられていてもよいし、逆に複数の読取装置ＩＤに対し、１個の設備４が関連付けられていてもよい。
【００１７】
資源管理装置５は、受信時間計測手段５１、受信時間記憶手段５２、設備制御手段５３、グループ記憶手段５４、及び按分手段５５から構成されている。受信時間計測手段５１は、無線媒体１が送信し、読取手段３が受信した信号２の受信開始時刻と受信終了時刻とを計測し、信号２に含まれる利用者ＩＤと、その信号２を受信した読取装置３を識別する読取装置ＩＤとを紐つけて、後述の受信時間記憶手段５２に記憶させる。
【００１８】
図２は、利用者ＩＤＡ１によって識別される無線媒体１が送信し、読取装置ＩＤＳＡで識別される読取装置３が受信した信号２のタイミング図である。横軸方向の左から右方向に向かって時間が経過していることを示す。図２中の２１は読取装置３が信号２を受信していない期間を示している。図２中の２２は読取装置３が信号２を受信中の期間を示している。
【００１９】
Ｔｃｙｃは、無線媒体１が信号２を送信する周期であり、通常は一定の値（例えば２５０ミリ秒毎）である。その結果、読取装置３はＴｃｙｃ毎に信号２を受信する。読取装置３が質問信号７を送信し、無線媒体１がその質問信号７を受信したときに信号２を送信する通信方式の場合は、Ｔｃｙｃは読取装置３が質問信号７を送信する周期によって決まる。受信時間計測手段５1は、読取装置３が利用者ＩＤＡ１を含む信号２を最初に受信した時刻を、利用者ＩＤＡ１及び読取装置ＩＤＳＡの受信開始時刻（図２中のＴＳ）と判断する。最初に受信した時刻とは、後述の利用者ＩＤＡ１及び読取装置ＩＤＳＡの受信開始時刻（図２中のＴＥ）から初めて読取装置ＩＤＳＡで識別される読取装置３が利用者ＩＤＡ１を含む信号２を受信した時刻のことである。
【００２０】
図２中のＴｓｅｎｃｅは、読取装置３が利用者ＩＤＡ１を含む信号２を受信してから、次に利用者ＩＤＡ１を含む信号２を受信するまでの最大の待ち時間であり、Ｔｃｙｃよりも充分長い時間（例えば３０秒）である。読取装置３が利用者ＩＤＡ１を含む信号２を受信開始してからＴｓｅｎｃｅ経過しても次の利用者ＩＤＡ１を含む信号２の受信しない場合、受信時間計測手段５1は無線媒体１からの利用者ＩＤＡ１を含む信号２の受信は終了したものとし、その時刻を利用者ＩＤＡ１及び読取装置ＩＤＳＡの受信終了時刻（図２中のＴＥ）と判断する。図２中のＴｔｏｔａｌは受信終了時刻ＴＥと受信開始時刻ＴＳとの差であり、Ｔｔｏｔａｌを利用者ＩＤＡ１及び読取装置ＩＤＳＡの受信時間と呼ぶ。
【００２１】
受信時間計測手段５１は、上記のように判断した利用者ＩＤＡ１及び読取装置ＩＤＳＡの受信開始時間ＴＳと受信終了時間ＴＥとを受信時間記憶手段５２に記憶させる。図３は受信時間記憶手段５２のデータ構成を示す。図３の表の左から横方向に利用者ＩＤ、読取装置ＩＤ、受信開始時刻、受信終了時刻を示しており、表の縦方向は、利用者ＩＤ及び読取装置ＩＤの受信開始時刻と受信終了時刻が記憶されていることを示している。
【００２２】
設備制御手段５３は、各読取装置３の信号２の受信に基づき、各読取装置ＩＤに対応する設備４を制御する。例えば読取装置ＩＤＳＡで識別される読取装置３が信号２を受信する前は、その読取装置ＩＤに紐つけられた設備４の稼働の停止を維持する。その読取装置３がいずれかの利用者ＩＤを含む信号２を受信したとき、設備制御手段５１は、読取装置ＩＤＳＡに対応する設備４の稼働を開始する。その読取装置３が一定時間以上（例えば３０秒以上）信号２を受信しなかった場合、その読取装置ＩＤに対応する設備４の稼働を停止する。例えば設備４が照明の場合、設備４を稼働させるとは照明を点灯させることであり、設備４の稼働を停止させるとは照明を消灯させることである。
【００２３】
グループ記憶手段５４は、各利用者を識別する利用者ＩＤと、各利用者が属するグループを識別するグループＩＤとを紐つけて予め記憶している。図４の表の左から横方向にグループＩＤ、利用者ＩＤ−１〜利用者ＩＤ―Ｎを示しており、各行毎に該当するグループＩＤに属する利用者の利用者ＩＤが記憶されている。図３の表では１つのグループＩＤに対し、Ｎ個の利用者ＩＤを登録することが可能であるが、Ｎは企業や住民などの人員規模に応じて適宜管理者が自由に設定できることは言うまでもない。
【００２４】
按分手段５５は、受信時間記憶手段５２で記憶している利用者ＩＤ及び読取装置ＩＤ毎の受信時間と、グループ記憶手段５３に記憶されている各利用者ＩＤが属するグループＩＤに基づき、グループＩＤ毎に按分率を計算する。按分手段５５が行う按分率の計算方法については後述する。
【００２５】
次に本実施の形態の動作について説明する。図５は、本実施の形態における資源管理システムの受信時間計測手段５１の動作を表すフローチャートである。
【００２６】
まず、受信時間計測手段５１は、読取手段３が送信する利用者ＩＤ及び読取装置ＩＤを受信したか否かを判別する（Ｓ１０１）。
【００２７】
受信時間計測手段５１が、読取手段３が送信する利用者ＩＤ及び読取装置ＩＤを受信しなかった場合（Ｓ１０１のＮ）、後述のＳ１０４の処理に進む。
【００２８】
受信時間計測手段５１が、読取手段３が送信する利用者ＩＤ及び読取装置ＩＤを受信した場合（Ｓ１０１のＹ）、受信時間計測手段５１は、受信時間記憶手段５２に、受信した利用者ＩＤ及び読取手段ＩＤに対する受信開始時刻が既に記憶されているかを判別する（Ｓ１０２）。
【００２９】
受信時間計測手段５１が受信した利用者ＩＤ及び読取手段ＩＤに対する受信開始時刻がすでに記憶されていた場合（Ｓ１０２のＮ）、後述のＳ１０４の処理に進む。
【００３０】
受信時間計測手段５１が受信した利用者ＩＤ及び読取手段ＩＤに対する受信開始時刻がまだ記憶されていなかった場合（Ｓ１０２のＹ）、受信時間計測手段５１は受信時間記憶手段５２に、受信した利用者ＩＤ及び読取手段ＩＤに対する受信開始時刻を記憶し（Ｓ１０３）。その後、Ｓ１０４の処理に進む。
【００３１】
受信時間計測手段５１は、受信時間記憶手段５２が記憶している、受信開始時刻のみが記憶され、受信終了時刻が記憶されていない利用者ＩＤ及び読取手段ＩＤのうち、Ｔｓｅｎｃｅ時間以上その読取手段ＩＤで識別される読取手段３における利用者ＩＤの受信が確認されないものが有るかどうかを判別する（Ｓ１０４）。
【００３２】
受信開始時刻のみが記憶され、受信終了時刻が記憶されていない利用者ＩＤ及び読取手段ＩＤのうち、Ｔｓｅｎｃｅ時間以上その読取手段ＩＤで識別される読取手段３における利用者ＩＤの受信が確認されないものが無い場合（Ｓ１０４のＮ）、Ｓ１０１の処理に戻る。
【００３３】
受信開始時刻のみが記憶され、受信終了時刻が記憶されていない利用者ＩＤ及び読取手段ＩＤのうち、Ｔｓｅｎｃｅ時間以上その読取手段ＩＤで識別される読取手段３における利用者ＩＤの受信が確認されないものがあった場合（Ｓ１０４のＹ）、受信時間記憶手段５２は受信した利用者ＩＤ及び読取装置ＩＤに対する、受信終了時刻を記憶し（Ｓ１０５）、Ｓ１０１の処理に戻る。
【００３４】
図６は、本実施の形態における資源管理システムの設備制御手段５３の動作を表すフローチャートである。まず、設備制御手段５３は、読取手段３が送信する利用者ＩＤ及び読取装置ＩＤを受信したか否かを判別する（Ｓ２０１）。
【００３５】
設備制御手段５３が、読取手段３が送信する利用者ＩＤ及び読取装置ＩＤを受信しなかった場合（Ｓ２０１のＮ）、後述のＳ２０５の処理に進む。
【００３６】
設備制御手段５３が、読取手段３が送信する利用者ＩＤ及び読取装置ＩＤを受信した場合（Ｓ２０１のＹ）、設備制御手段５３は、受信した利用者ＩＤ、読取装置ＩＤ、及び受信した時刻を紐付けて記憶しておき（Ｓ２０２）、受信した読取装置ＩＤに対応する設備４の稼働状況を確認する（Ｓ２０３）。
【００３７】
受信した読取装置ＩＤに対応する設備４がすでに稼働中であった場合（Ｓ２０３のＮ）、後述のＳ２０５の処理に進む。
【００３８】
受信した読取装置ＩＤに対応する設備４が稼働中でなかった場合（Ｓ２０３のＹ）、読取装置ＩＤに対応する設備４に対し、稼働開始を指令する。その結果、その設備４は稼働開始する（Ｓ２０４）。その後、Ｓ２０５の処理に進む。
【００３９】
設備制御手段５３は、設備制御手段５３が記憶している利用者ＩＤ及び読取装置ＩＤのうち、Ｔｓｅｎｃｅ時間以上受信が確認されないものが有るかどうかを判別する（Ｓ２０５）。
【００４０】
設備制御手段５３が記憶している利用者ＩＤ及び読取装置ＩＤのうち、Ｔｓｅｎｃｅ時間以上受信が確認されないものが無い場合（Ｓ２０５のＮ）、Ｓ２０１の処理に戻る。
【００４１】
設備制御手段５３が記憶している利用者ＩＤ及び読取装置ＩＤのうち、Ｔｓｅｎｃｅ時間以上受信が確認されないものがあった場合（Ｓ２０５のＹ）、設備制御手段５３は、紐つけて記憶していた利用者ＩＤ、読取装置ＩＤ、及び受信時刻を削除し（Ｓ２０６）、該当する読取装置ＩＤが他の利用者ＩＤと紐つけられて記憶されていないか否か判別する（Ｓ２０７）。
【００４２】
該当する読取装置ＩＤが他の利用者ＩＤと紐つけられて記憶されている場合（Ｓ２０７のＮ）、Ｓ２０１の処理に戻る。
【００４３】
該当する読取装置ＩＤが他の利用者ＩＤと紐つけられて記憶されていなかった場合（Ｓ２０７のＹ）、読取装置ＩＤに対応する設備４に対し、稼働停止を指令する。その結果、その設備４は稼働停止する（Ｓ２０８）。その後、Ｓ２０１の処理に戻る。
【００４４】
次に本実施の形態における、按分対象期間Ｔの各グループの読取装置ＩＤに対する按分率の計算について図７〜図１０を用いて説明する。図７は按分手段５５が各グループに対する按分率を計算する動作フローである。
【００４５】
まず、按分手段５５は、按分対象期間Ｔ（例えば１か月）が経過するまで待機し（Ｓ３０１のＮ）、按分対象期間Ｔが経過した場合（Ｓ３０１のＹ）、Ｓ３０２の処理へと進む。
【００４６】
按分手段５５は受信時間記憶手段５２に記憶されている、各利用者ＩＤ及び読取装置ＩＤのそれぞれの受信開始時間と受信終了時間との差から受信時間を計算し、按分対象期間Ｔの各利用者ＩＤ及び読取装置ＩＤの受信時間の総和を計算する（Ｓ３０２）
【００４７】
按分手段５５はグループ記憶手段５４、及びＳ３０２で計算した按分対象期間Ｔの各利用者ＩＤ及び設備ＩＤの送受信時間の総和を基に、按分対象期間Ｔの各グループの利用者ＩＤの受信時間の総和を計算する（Ｓ３０３）
【００４８】
按分手段５５はＳ３０３で計算した各グループの利用者ＩＤの受信時間の総和を分子に、全グループの受信時間の総和を分母とし、各グループの按分率を計算し、処理を終了する（Ｓ３０４）。
【００４９】
図８〜図１０は図８のフローチャートに基づく、各グループの按分率の計算の例を示す。図８〜図１０の横方向は按分対象期間Ｔである。縦方向はグループＧＡ所属の利用者ＩＤＡ１、グループＧＢ所属の利用者ＩＤＢ１、グループＧＤ所属の利用者ＩＤＣ１で区切られている。
【００５０】
図８において６１は按分対象期間Ｔ内のグループＧＡ所属の利用者ＩＤＡ１の受信時間を示す
【００５１】
図８において、按分対象期間Ｔにおける各グループの受信時間の総和は
グループＧＡの総受信時間は０．７５Ｔ
グループＧＢの総受信時間は０
グループＧＣの総受信時間は０
であるため、
全グループの総受信時間は０．７５Ｔであり、
図８の場合、按分手段５５は各グループの按分率を以下のように計算する。
グループＧＡの按分率：０．７５Ｔ／０．７５Ｔ＝１００％
グループＧＢの按分率：０／０．７５Ｔ＝０％
グループＧＣの按分率：０／０．７５Ｔ＝０％
【００５２】
図９において６２１は、按分対象期間Ｔ内のグループＧＢ所属の利用者ＩＤＢ１の受信時間を示す。６２２は、按分対象期間Ｔ内のグループＧＣ所属の利用者ＩＤＣ１の受信時間を示す。
【００５３】
図９において、按分対象期間Ｔにおける各グループの受信時間の総和は
グループＧＡの総受信時間は０
グループＧＢの総受信時間はＴ
グループＧＣの総受信時間はＴ
であるため、
全グループの総受信時間  Ｔ＋Ｔ＝２Ｔに対して、
図９の場合、按分手段５５は各グループの按分率を以下のように計算する。
グループＧＡの按分率：０／２Ｔ＝０％
グループＧＢの按分率：Ｔ／２Ｔ＝５０％
グループＧＣの按分率：Ｔ／２Ｔ＝５０％
【００５４】
図１０において６３１は按分対象期間Ｔ内のそれぞれグループＧＡ所属の利用者ＩＤＡ１の受信時間を示す。６３２は按分対象期間Ｔ内のそれぞれグループＧＢ所属の利用者ＩＤＢ１の受信時間を示す。６３３は按分対象期間Ｔ内のそれぞれグループＧＣ所属の利用者ＩＤＣ１の受信時間を示す。
【００５５】
図１０において、按分対象期間Ｔにおける各グループの受信時間の総和は
グループＧＡの総受信時間は０．５Ｔ
グループＧＢの総受信時間は０．５Ｔ
グループＧＣの総受信時間はＴ
であるため、
全グループの総受信時間  Ｔ＋Ｔ＝２Ｔに対して、
図１０の場合、按分手段５５は各グループの按分率を以下のように計算する。
グループＧＡの按分率：０．５Ｔ／２Ｔ＝２５％
グループＧＢの按分率：０．５Ｔ／２Ｔ＝２５％
グループＧＣの按分率：Ｔ／２Ｔ＝５０％
【００５６】
按分手段５５によって計算した按分率は、例えば按分対象期間Ｔにおける各グループの電力使用料金の負担比率として使用できる。また、例えば按分対象期間Ｔよりも後の他の期間の電力使用量配分の比率として使用することもできる。
【００５７】
上述したとおり、本実施の形態では、無線媒体１が送信した利用者ＩＤを含む信号２の読取装置３での受信時間に基づき、設備制御手段５１は該当する読取装置ＩＤで識別される設備を制御するとともに、按分手段５５は利用者ＩＤを含む信号２の読取装置３での利用者ＩＤ及び設備ＩＤ毎の受信時間を基に各利用者が所属するグループ毎に按分率を計算する。読取装置３に対応した設備３が稼働している時間は、その読取装置３がいずれかの利用者ＩＤを受信している時間と連動しており、また利用者が所属するグループのメンバーが実際に読取装置３の近傍にいる時間（つまり読取装置３の受信時間）の割合を按分率とするため、利用者が所属するグループ毎に実際に使用した電気使用量により近い、より不公平感の小さい按分率を計算する資源管理システム及び資源管理装置が得られるという効果を奏する。
【００５８】
なお、本実施の形態では、按分手段５５は、各グループの按分率を計算しているが、利用者個人毎に按分率を求めるようにしてもよい。また利用者個人毎に按分率を計算するか利用者が所属するグループ毎に按分率を計算するかは資源管理システムの管理者が適宜切り替えることが出来るようにしてもよい。
【００５９】
また、読取装置３の設置数が１個の場合、受信時間記憶手段５２及び装置制御手段５３は読取装置ＩＤを記憶する必要は必ずしも無い。
【００６０】
また、１個の読取装置３に対し、複数の設備が割り付けられていてもよいし、逆に複数の読取装置３に対し、１個の設備４が割り付けられていても構わない。複数の読取装置３に対し、１個の設備４が割り付けられている場合、設備４を識別する設備ＩＤと読取装置ＩＤとを関連付けて記憶する図示しない設備ＩＤテーブルをさらに備え、受信時間記憶手段５２及び装置制御手段５３は読取装置ＩＤの代わりに設備ＩＤを記憶するようにし、按分手段５５は設備ＩＤ毎に按分率を計算するようにしてもよい。
【００６１】
また、按分手段５５が按分率を計算する際、予めベースとなる按分率を決めておき、実際の使用率で求めた各グループの按分率に、そのベースとなる按分率を付加するようにしてもよい。
【００６２】
例えばグループがＧＡ、ＧＢ、ＧＣの３グループがグループ記憶手段に予め登録されている場合、ベースとなる按分率を各グループ一律３分の１、つまり３３．３％とする。読取手段３が按分対象期間内に信号２を全く受信しなかった場合のそのグループの按分率を一律３３．３％とする。
【００６３】
また、各グループの受信時間が図９のような場合、按分手段５５が受信時間の比率のみで計算した按分率は
グループＧＡの按分率：０％
グループＧＢの按分率：５０％
グループＧＣの按分率：５０％
となるが、ベースとなる各グループ一律の按分率３３．３％を考慮した場合、
グループＧＡの按分率：３３．３％＋０％×（１００％−３３．３％）＝３３．３％
グループＧＢの按分率：３３．３％＋５０％×（１００％−３３．３％）＝４０％
グループＧＣの按分率：３３．３％＋５０％×（１００％−３３．３％）＝４０％
となり、受信時間０のグループＧＡにも３３．３％の按分率が与えられる。
【００６４】
上記によって、ある按分対象期間Ｔ内において、あるグループに属する利用者全員が不在の場合でも、不在時にも加算される電力使用量、例えば待機電力を按分対象に考慮することが可能となる。
【００６５】
その他、構成の一部を変形しても、また一部を省略してもよく、本実施の形態と同様の効果を奏するものと考えられる。
【００６６】
実施の形態２
以下、本実施の形態の構成及び動作を、図１１を用いて説明する。なお、実施の形態１の相違点は図４のグループ記憶手段５３の構成のみで、その他の構成は同一であり、説明は省略する。
【００６７】
本実施の形態における、グループ記憶手段５３は、各利用者ＩＤと、各利用者が属するグループＩＤとを紐つけて予め記憶するとともに、読取装置ＩＤもさらに紐つけて記憶することが出来る。図１２の表の左から横方向にグループＩＤ、利用者ＩＤ−１〜利用者ＩＤ―Ｎを示しており、各行毎に該当するグループＩＤに属する利用者の利用者ＩＤと読取装置ＩＤとが紐つけて記憶されている。
【００６８】
例えば図１１の例では、利用者ＩＤＡ２と設備ＩＤＳＡとが紐付けられてグループＧＡに所属しているとともに、同じく利用者ＩＤＡ２と設備ＩＤＳＢとが紐付けられてグループＧＢに所属していることを示している。
【００６９】
そして、読取装置ＩＤＳＡに紐つけられた読取手段３が利用者ＩＤＡ２を含む信号２を受信した場合、按分手段５５は按分率の計算の際、利用者ＩＤＡ２を含む信号２の受信時間はグループＧＡに計上する。また、設備ＩＤＳＢに紐つけられた読取手段３が利用者ＩＤＡ２を含む信号２を受信した場合、按分手段５５は按分率の計算の際、利用者ＩＤＡ２を含む信号２の受信時間はグループＧＢに計上する。
【００７０】
本実施の形態でも、実施の形態１と同様の効果を奏するとともに、本実施の形態のグループ記憶手段５３の構成により、利用者が単独のグループだけでなく、複数のグループに所属している場合の按分率の計算にも対応できるというさらなる効果を奏する。例えばある利用者が総務課と営業課を兼務しており、総務課が１Ｆ、営業課が２Ｆに位置するものとする。その利用者が総務課（１Ｆ）にいるときは読取装置ＩＤＳＡに紐つけられた読取装置３がその利用者のＩＤを受信した時間は総務課の送受信時間に加算される。一方その利用者が営業課（２Ｆ）にいるときは読取装置ＩＤに紐つけられた読取装置３がある利用者のＩＤを受信した時間は営業課の送受信時間に加算される。
【００７１】
なお、構成の一部を変形しても、また一部を省略してもよく、本実施の形態と同様の効果を奏するものと考えられる。
【産業上の利用可能性】
【００７２】
本発明は、電力などの資源の按分率を決定する資源管理システム及び資源管理装置に適用することができる。
【符号の説明】
【００７３】
１  無線媒体、  ２  信号、  ３  読取装置、  ４  設備、  ５  資源管理装置、
６  無線媒体を所持した利用者、  ７  質問信号、  ５１  設備制御手段、
５２  受信時間記憶手段、  ５３  設備制御手段、  ５４  グループ記憶手段、
５５  按分手段
【図１】
2017134654.tif 000003
【図２】
2017134654.tif 000004
【図３】
2017134654.tif 000005
【図４】
2017134654.tif 000006
【図５】
2017134654.tif 000007
【図６】
2017134654.tif 000008
【図７】
2017134654.tif 000009
【図８】
2017134654.tif 000010
【図９】
2017134654.tif 000011
【図１０】
2017134654.tif 000012
【図１１】
2017134654.tif 000013